(57)【要約】【課題】複数の多段式の噴節紗が弛んだり引き締まったり、交替可能な構造を持ち、より多くの塵埃の粒子を吸い付けて塵埃を除去効果の向上が図れるはたき用のはたきを提供すること。【解決手段】塵埃を除く除去部及び柄からなり、柄は螺旋末端及び握り部からなり、塵埃を除く除去部は不織布層や噴節紗層や平滑な不織布または織布層を含み、塵埃を除く除去部の上は細長い袋を形成して柄の螺旋末端を収容するだけでなく、塵埃を除く除去部も螺旋末端に伴って、螺旋状になり、噴節紗層は複数の多段式の噴節紗というものから構成される。【選択図】図３
2007050251.tif 000002
【特許請求の範囲】
【請求項１】
塵はたき用のはたきにおいて、
主に塵埃を除く除去部及び柄からなり、
前記柄は螺旋末端及び握り部からなり、
前記塵埃を除く除去部は、熱熔接できる不織布層と、熱熔接できる不織布層の上に配置され、複数の多段式噴節紗を有する噴節紗層と、噴節紗層の上に配置される平滑な不織布層と、不織布または織布層は平滑な不織布層の上に配置される不織布または織布層とを有し、
前記塵埃を除く除去部に、柄を入れる固定している握り空間が配置され、
何れの熱熔接できる不織布層、平滑な不織布層、不織布または織布層の広さは皆、噴節紗層の広さより小さく、
何れの熱熔接できる不織布層、平滑な不織布層、不織布または織布層の長い辺は波状、又は直線状に切られて、噴節紗層における複数の多段式噴節紗の伸展方向が有効的に制御されることを特徴とする、
塵はたき用のはたき。
【請求項２】
請求項１において、複数多段式の噴節紗は異なる方向に沿って二本の紗線をしっかり締めて形成したことを特徴とする、塵はたき用のはたき。
【請求項３】
請求項1において、熱熔接できる不織布層、噴節紗層、平滑な不織布層、不織布または織布層を下から上まで、順次畳み、それらに熱圧加工を行って、熱熔接できる不織布層、噴節紗層、平滑な不織布層、不織布または織布層は半閉鎖融合線で、一体化して結合された、固定している握り空間を形成したことを特徴とする、塵はたき用のはたき。
【請求項４】
請求項1において、柄の螺旋末端を固定している握り空間にいれると、塵埃を除く除去部は、螺旋末端に伴って、螺旋状になることを特徴とする、塵はたき用のはたき。。
【請求項５】
塵はたき用のはたきにおいて、
主に塵埃を除く除去部及び柄からなり、
柄は叉状で、二つの長い形の端を含み、
塵埃を除く除去部は熱熔接できる不織布層と、噴節紗層は熱熔接できると共に、不織布層の上に配置され、複数の多段式噴節紗を有する噴節紗層と、噴節紗層の上に配置される平滑な不織布層と、平滑な不織布層の上に配置される不織布または織布層とからなり、
塵埃を除く除去部に、柄を入れる固定している握り空間が配置され、
何れの熱熔接できる不織布層、平滑な不織布層、不織布または織布層の広さは皆、噴節紗層の広さより小さく、
何れの熱熔接できる不織布層、平滑な不織布層、不織布または織布層の長い辺は波状又は直線状のように切られて、噴節紗層における複数の多段式噴節紗の伸展方向が有効的に制御されることを特徴とする、
塵はたき用のはたき。
【請求項６】
請求項５において、複数多段式の噴節紗は異なる方向に沿って二本の紗線をしっかり締めて形成したことを特徴とする、塵はたき用のはたき。
【請求項７】
請求項５において、固定している握り空間は二つの袋が並んで、そこに柄の二つ長い形の端を収容し、熱熔接できる不織布層、噴節紗層、平滑な不織布層、不織布または織布層を下から上まで、順次畳み、それらに熱圧加工を行って、熱熔接できる不織布層、噴節紗層、平滑な不織布層、不織布または織布層は融合線で一体化して結合して二つの袋を形成したことを特徴とする、塵はたき用のはたき。
【請求項８】
請求項７において、二つの長い形の袋の間に、真ん中に開口が開いていて、塵埃を除く除去部は容易にひっくりかえすことができることを特徴とする、塵はたき用のはたき。
【請求項９】
請求項５において、塵埃を除く除去部は外部に露出する複数の多段式噴節紗を有し、塵はたき用のはたきは最もよい清潔効果を達成するように、塵埃を除く除去部の多段式噴節紗と清掃すべき物品の表面との角度が９０度になるように構成したことを特徴とする、塵はたき用のはたき。
【請求項１０】
塵はたき用の布において、
熱熔接できる不織布層と、
熱熔接できる不織布層の上に配置され、複数の多段式噴節紗を有する噴節紗層と、
平滑な不織布層は噴節紗層の上に配置される平滑な不織布層と、
不織布または織布層は平滑な不織布層の上に配置される不織布または織布層とを有し、
塵埃を除く布に、はたきの柄を入れる固定している握り空間が配置され、
何れの熱熔接できる不織布層、平滑な不織布層、不織布または織布層の広さは皆、噴節紗層の広さより小さく、
何れの熱熔接できる不織布層、平滑な不織布層、不織布または織布層の長い辺は波状、又は直線状に切られて、噴節紗層における複数の多段式噴節紗の伸展方向が有効的に制御されることを特徴とする、
塵はたき用の布。
【請求項１１】
請求項１０において、複数多段式の噴節紗は異なる方向に沿って二本の紗線をしっかり締めて形成することを特徴とする、塵はたき用の布。
【請求項１２】
請求項１０において、熱熔接できる不織布層、噴節紗層、平滑な不織布層、不織布または織布層を下から上まで、順次畳み、それらに熱圧加工を行うと、熱熔接できる不織布層、噴節紗層、平滑な不織布層、不織布または織布層は半閉鎖融合線で、一体化するように結合した固定している握り空間を形成することを特徴とする、塵はたき用の布。
【請求項１３】
請求項１０において、固定している握り空間は二つ袋が並んで、そこに柄の二つ長い形の端を収容し、熱熔接できる不織布層、噴節紗層、平滑な不織布層、不織布または織布層を下から上まで、順次畳み、それらに熱圧加工を行うと、熱熔接できる不織布層、噴節紗層、平滑な不織布層、不織布または織布層は融合線で、一体化するように結合して二つの袋を形成することを特徴とする、塵はたき用の布。
【請求項１４】
請求項１３において、二つの長い形の袋の間に、真ん中に開口が切られて塵埃を除く布が容易にひっくりかえされるように形成したことを特徴とする、塵はたき用の布。
【請求項１５】
請求項１０において、外部に露出する多段式噴節紗を有し、最もよい清潔効果を達成するように塵埃を除く布の多段式噴節紗と清掃すべき物品の表面との角度が９０度になるように構成したことを特徴とする、塵はたき用の布。
【発明の詳細な説明】
【技術分野】
【０００１】
本発明は、塵はたき用のはたき及び布に関するものである。
本発明は特に、複数層の不織布材質、繊維糸に熱圧加工、裁断、切断等を行って、中間に孔を開け、柄に合わせて使用し、粉末や塵埃を除く優れた効果と多層の清掃面を有するはたき及び布に関するものである。
【背景技術】
【０００２】
市場にはシンプルな塵をはたく布から、塵はたき用のはたきまで、塵はたき用の様々な道具が沢山存在する。それらのはたきは塵をはたく作用があるが、その使用にあたっては以下に説明するようないくつかの欠点が存在するため、理想的とは言えない。
【０００３】
塵埃の粒子は非常に微小であるために、塵をはたく布やはたきの効果が良くない。そのため、使用者は長い時間をかけて繰り返して拭かなければ効果が出ない。
さらに、塵をはたく布に付着して残った塵と砂が清掃すべき各種の物品を疵つけ易いという問題もある。
【０００４】
従来から既知のはたきは、先端の清潔部を変換することができないので、長い間の使用を経ると、或いは先端の清潔部が汚れれば、それを直接棄てたり、又は表面だけが汚くなって内部がもつれるとはたきの効能を十分に引き出すことはできないためにはたきを捨てることになる。
それはリサイクル概念のないやり方である。さらにもう一度新しいはたきを買うのは、使用者の経済的負担になる嫌いがある。
【０００５】
又、塵はたき用の布を使用するときには、使用者の手が布に直接触れるので、塵埃や細菌が使用者の体に付着し易く健康を害する問題がある。
【０００６】
従来から、塵をはたく既知の布、又ははたきを使用するときには、これらの用具を水平に移動するので、塵埃が飛び上がりやすいし、使用者がいつも塵埃を肺部に吸い込んで、健康を害する。ひどい場合は、心から愛する貴重な宝に傷をつける。
【０００７】
又、例えば、中華民国の特許公告第５５２１２４号公報（清潔用物品）には、類似の清潔用品が開示されている。
これは拭き取り部を有する。拭き取り部は複数の細長いシート及び少なくとも、繊維の束層を有するものであり、それは少なくとも、一枚の薄片を有すると共に、その内部に複数の細長いシートを有するものである。
【０００８】
少なくとも、一つの繊維束層は基部材料と薄片との間に設けられる。
【０００９】
薄片及び繊維束層は局部的に基部材料の清掃側に接続される。
それらの細長いシート及び繊維束層の繊維はある方向へ向かうので、両者が拭き取り部を形成する。
基部材料の清掃側の反対側には、固定している使用者が手で握る握り空間が形成されていたり、又は握り物体を挿入して固定できるようになっている。
【００１０】
上記した清潔用品においては、少なくとも、二枚の薄片を含む。
少なくとも一枚の薄片は、複数の細長いシート及び少なくとも二つの繊維束層がある。
【００１１】
二枚の薄片は二つの連結部に沿って、相互に重ねられて接続されている。
二つの薄片の反対の表面の間に、固定している握り空間が形成される。
また、二つの繊維束層はそれぞれ二枚薄片の清潔表面に配置され、しかも、二つの連結部に沿って、二枚の薄片に接続されている。
【００１２】
従来の繊維束は複数の繊維束であり、細い生糸、扁平の縒り糸、分叉の縒り糸などを含む。
繊維の例を挙げると、ＰＥ繊維、ＰＰ繊維、又はPET繊維、ＰＥ／ＰＥＴ、ＰＥ／ＰＰの共用結合繊維がある（例えば、コア（core）／皮殻結構の共用結合繊維ならば、ＰＰ又はＰＥＴのコア（core）、ＰＥの皮殻で構成される）。
また、先行技術の繊維束層の繊維は巻き皺を有し、繊維束層の体積が大きいので、巻き皺の部で、塵埃をとりやすい構造が形成される。
巻き皺の単糸繊維は太い麻縄の織孔から形成されるのが一番理想的である。
【００１３】
本発明は繊維束が巻きすぎて、かたまりになる問題を解決するため、数多くの長いシートを使って、繊維シート層の繊維を覆う。それを通して、繊維束が大きい面積の摩擦で纏わって使えないことを防ぐ。
【００１４】
先行技術はそんな繊維が単糸に限られないということを言及したが、具体的な実施形態を提示していなかった。
本発明の発明者は研究を経て次のことを発見した。
【００１５】
多段式構造の噴節紗が一部弛んだり、一部引き締まったりする外形をもつので、複数の弛み箇所の繊維糸は粉末の塵埃を吸い付けてとるというもっと優れた効果がある。
一部が弛んだり、一部が引き締まったりする外形は複数の紗線で締めて形成される。
そうすると、一束の噴節紗毎を有効的に締めて、他の噴節紗と巻きつかないようにさせる。
【００１６】
つまり、従来から、既知の繊維束が纏わりやすいことや、繊維の収容の吸い付ける空間が不足しているという欠点を有効的に改善する。
【００１７】
その他、従来から、既知の繊維束層がふくれ過ぎるので、数多くの細長いシートで、繊維束層を清掃用具の中央部へ集中しなければならない。その結果、材料の無駄を招く。
【００１８】
特に、複数の細長いシートが繊維束層をしっかり覆うので、清掃する場合に、力を入れて下へ押すと、繊維束層が露出する。
清掃すべき物品に接触しなければ、清掃する効果が出て来ない。
残念ながら、下へ向かう圧力はいつも、清掃すべき物品に傷をつける。
【００１９】
さらに繊維束層で横の方向へ汚い物を払いのけることもできず、払いのける手触りもそんなによくないのである。
複数の長いシートで作ることが生産費が上昇させて、複数の長いシートも何回使用した後、纏わってきたのである。
【００２０】
長いシートと繊維束層は汚いものをつける程度が違うが、片方が汚くなったら、その清掃用品を捨てることは環境の負担になる。
本発明は先行技術と違って、極めて短い布はただ物品の縁に使う。それだけで、繊維束の方向を締めることが出来て、清掃効果をもつ繊維束と清掃すべき物品の接触面積を大きく増加する。
【００２１】
さらに、長いシートより繊維束のほうがやわらかいし、物品に疵をつける機会を減らすことができる。
そのほかに、本発明はいろんな種類の柄と合わせて、柄の回転方向と一緒に塵埃を除く除去部をひっくりかえすことができる。その塵埃を除く除去部は粉末の塵埃を除く効果や多方向の清掃を提供することができる。
【００２２】
また、台湾発明の「塵をはたく回転式のはたき」を提出した。
このはたきは螺旋式の柄を持つ。柄の先端から、折れロッド（rod）が延伸される。
折れロッド（rod）の両側には溝がある。その側辺の下に、それぞれ凸柱が設置される。
折れロッド（rod）の先端に、曲がりほぞが設けられる。
【００２３】
曲がりほぞは円弧の外殻を持つ。円弧の外殻の中に、折れロッド（rod）の流線外型に沿う嵌め溝を設置する。
嵌め溝の両側面に、それぞれ一つの凸肋を設置する。
その下方の両側に、それぞれ一つの貫通孔を設置する。
そして使用者が使用する時に、円弧外殻の貫通孔及び折れロッド（rod）の凸柱をほぞにして、
折れる所を形成する。
【００２４】
これに対して、円弧外殻の二つ凸肋と折れロッド（rod）の溝をほぞにして、柄と回転板をきちんと一体化に接続される。
そして、回転板を収容溝の開口に入れる。そうすると、清潔布は回転板といっしょに回って円柱状になって、回転式のはたきが形成される。
【発明の開示】
【発明が解決しようとする課題】
【００２５】
柄の折れロッド（rod）を使用するとき、いつも折れ曲げ角度が大き過ぎるために、清掃作業の進行を阻害する。
それでまだ改良の余地があると考えられる。本発明ではそのような柄について改良するものである。
【００２６】
したがって、本発明の一つの目的は、纏わりにくい繊維束を提供することにある。
それは塵埃を除く除去部を前へ集中し、塵埃の飛び上がりを減らすはたきである。
それは熱圧加工された複数層の不織布材及び噴節紗と着脱自在の柄からなっている。
はたきの不織布層の広さは噴節紗層の広さより短いので、噴節紗が前へ集中でき、噴節紗が粉末の塵埃を除く効果が十分に発揮できる。
【００２７】
噴節紗は弛んだり、引き締まったり、交替するような多段式構造を持ち、しかも、異なる方向に沿って二本の紗線をしっかり締めて形成するので、一束噴節紗毎を有効的に締めて、他の噴節紗と巻きつかないようにさせる。
そうすると、本発明の塵はたき用のはたきは噴節紗の外側に、細長いシートを設置しなくても、噴節紗が巻きつくことも避けられる。
【００２８】
本発明により、塵はたき用のはたきの一形態は、螺旋末端の柄を使用することである。
本発明は塵埃を除く除去部が螺旋状となっていて、多方向性の清潔効果を提供することができる。
【００２９】
本発明に係る塵はたき用のはたきのもう一つの形態は、叉状の柄を使用することであり、塵埃を除く除去部は外部に露出する多段式噴節紗を有する。
多段式噴節紗と清掃すべき物品の表面との角度が９０度になると、塵はたき用のはたきは最もよい清潔効果を遂げることができる。
【課題を解決するための手段】
【００３０】
本願の第１発明は、塵はたき用のはたきにおいて、主に塵埃を除く除去部及び柄からなり、
前記柄は螺旋末端及び握り部からなり、前記塵埃を除く除去部は、熱熔接できる不織布層と、熱熔接できる不織布層の上に配置され、複数の多段式噴節紗を有する噴節紗層と、噴節紗層の上に配置される平滑な不織布層と、不織布または織布層は平滑な不織布層の上に配置される不織布または織布層とを有し、前記塵埃を除く除去部に、柄を入れる固定している握り空間が配置され、何れの熱熔接できる不織布層、平滑な不織布層、不織布または織布層の広さは皆、噴節紗層の広さより小さく、何れの熱熔接できる不織布層、平滑な不織布層、不織布または織布層の長い辺は波状、又は直線状に切られて、噴節紗層における複数の多段式噴節紗の伸展方向が有効的に制御されることを特徴とする、塵はたき用のはたきを提供する。
本願の第２発明は、前記第１発明において、複数多段式の噴節紗は異なる方向に沿って二本の紗線をしっかり締めて形成したことを特徴とする、塵はたき用のはたきのはたきを提供する。
本願の第３発明は、前記第１発明において、熱熔接できる不織布層、噴節紗層、平滑な不織布層、不織布または織布層を下から上まで、順次畳み、それらに熱圧加工を行って、熱熔接できる不織布層、噴節紗層、平滑な不織布層、不織布または織布層は半閉鎖融合線で、一体化して結合された、固定している握り空間を形成したことを特徴とする、塵はたき用のはたきを提供する。
本願の第４発明は、前記第１発明において、柄の螺旋末端を固定している握り空間にいれると、塵埃を除く除去部は、螺旋末端に伴って、螺旋状になることを特徴とする、塵はたき用のはたきのはたきのはたきを提供する。
本願の第５発明は、塵はたき用のはたきにおいて、主に塵埃を除く除去部及び柄からなり、柄は叉状で、二つの長い形の端を含み、塵埃を除く除去部は熱熔接できる不織布層と、噴節紗層は熱熔接できると共に、不織布層の上に配置され、複数の多段式噴節紗を有する噴節紗層と、噴節紗層の上に配置される平滑な不織布層と、平滑な不織布層の上に配置される不織布または織布層とからなり、塵埃を除く除去部に、柄を入れる固定している握り空間が配置され、何れの熱熔接できる不織布層、平滑な不織布層、不織布または織布層の広さは皆、噴節紗層の広さより小さく、何れの熱熔接できる不織布層、平滑な不織布層、不織布または織布層の長い辺は波状又は直線状のように切られて、噴節紗層における複数の多段式噴節紗の伸展方向が有効的に制御されることを特徴とする、塵はたき用のはたきを提供する。
本願の第６発明は、前記第５発明において、複数多段式の噴節紗は異なる方向に沿って二本の紗線をしっかり締めて形成したことを特徴とする、塵はたき用のはたきを提供する。
本願の第７発明は、前記第５発明において、固定している握り空間は二つの袋が並んで、そこに柄の二つ長い形の端を収容し、熱熔接できる不織布層、噴節紗層、平滑な不織布層、不織布または織布層を下から上まで、順次畳み、それらに熱圧加工を行って、熱熔接できる不織布層、噴節紗層、平滑な不織布層、不織布または織布層は融合線で一体化して結合して二つの袋を形成したことを特徴とする、塵はたき用のはたきを提供する。
本願の第８発明は、前記第７発明において、二つの長い形の袋の間に、真ん中に開口が開いていて、塵埃を除く除去部は容易にひっくりかえすことができることを特徴とする、塵はたき用ののはたきを提供する。
本願の第９発明は、前記第５発明において、塵埃を除く除去部は外部に露出する複数の多段式噴節紗を有し、塵はたき用のはたきは最もよい清潔効果を達成するように、塵埃を除く除去部の多段式噴節紗と清掃すべき物品の表面との角度が９０度になるように構成したことを特徴とする、塵はたき用のはたきを提供する。
【００３１】
本願の第１０発明は、塵はたき用の布において、熱熔接できる不織布層と、熱熔接できる不織布層の上に配置され、複数の多段式噴節紗を有する噴節紗層と、平滑な不織布層は噴節紗層の上に配置される平滑な不織布層と、不織布または織布層は平滑な不織布層の上に配置される不織布または織布層とを有し、塵埃を除く布に、はたきの柄を入れる固定している握り空間が配置され、何れの熱熔接できる不織布層、平滑な不織布層、不織布または織布層の広さは皆、噴節紗層の広さより小さく、何れの熱熔接できる不織布層、平滑な不織布層、不織布または織布層の長い辺は波状、又は直線状に切られて、噴節紗層における複数の多段式噴節紗の伸展方向が有効的に制御されることを特徴とする、塵はたき用の布を提供する。
本願の第１１発明は、前記第１０発明において、複数多段式の噴節紗は異なる方向に沿って二本の紗線をしっかり締めて形成することを特徴とする、塵はたき用の布を提供する。
本願の第１２発明は、前記第１０発明において、熱熔接できる不織布層、噴節紗層、平滑な不織布層、不織布または織布層を下から上まで、順次畳み、それらに熱圧加工を行うと、熱熔接できる不織布層、噴節紗層、平滑な不織布層、不織布または織布層は半閉鎖融合線で、一体化するように結合した固定している握り空間を形成することを特徴とする、塵はたき用の布を提供する。
本願の第１３発明は、前記第１０発明において、固定している握り空間は二つ袋が並んで、そこに柄の二つ長い形の端を収容し、熱熔接できる不織布層、噴節紗層、平滑な不織布層、不織布または織布層を下から上まで、順次畳み、それらに熱圧加工を行うと、熱熔接できる不織布層、噴節紗層、平滑な不織布層、不織布または織布層は融合線で、一体化するように結合して二つの袋を形成することを特徴とする、塵はたき用の布を提供する。
本願の第１４発明は、前記第１３発明において、二つの長い形の袋の間に、真ん中に開口が切られて塵埃を除く布が容易にひっくりかえされるように形成したことを特徴とする、塵はたき用の布を提供する。
本願の第１５発明は、前記第１０発明において、外部に露出する多段式噴節紗を有し、最もよい清潔効果を達成するように塵埃を除く布の多段式噴節紗と清掃すべき物品の表面との角度が９０度になるように構成したことを特徴とする、塵はたき用の布を提供する。
【発明の効果】
【００３２】
本発明は、纏わりにくい繊維束を提供することができる。
塵埃を除く除去部を前へ集中し、塵埃の飛び上がりを減らすはたきを提供できる。
それは熱圧加工された複数層の不織布材及び噴節紗と着脱自在の柄からなっている。
はたきの不織布層の広さは噴節紗層の広さより短いので、噴節紗が前へ集中でき、噴節紗が粉末の塵埃を除く効果が十分に発揮できる。
噴節紗は弛んだり、引き締まったり、交替するような多段式構造を持ち、しかも、異なる方向に沿って二本の紗線をしっかり締めて形成するので、一束の噴節紗毎に有効的に締めて、他の噴節紗と巻きつかない。
本発明の塵はたき用のはたきは噴節紗の外側に細長いシートを設置しなくても、噴節紗が巻きつくことも避けられる。
【発明を実施するための最良の形態】
【００３３】
本発明の目的、特徴を遂げて、採用される技術手段及び効果等を理解をするために、以下に図面を参照しながら最も望ましい実施例について説明する。
【実施例】
【００３４】
まずは図１を参照して説明する。
図１は本発明の第一実施例に係る塵はたき用のはたき１００の分解図である。
図面に示すように、塵はたき用のはたき１００は塵埃を除く除去部１及び柄２から組成される。
柄２は螺旋末端２１及び握り部２２からなっている。
【００３５】
図２Ａは塵埃を除く除去部１の分解図である。
同図に示すように、塵埃を除く除去部１は熱熔接できる不織布層１２や熱熔接できる不織布層１２の上における噴節紗層１１や噴節紗層（もつれている編み糸）１１の上における平滑な不織布層１３や平滑な不織布層１３の上における不織布または織布層１４を含む。
また、噴節紗層１１は複数の多段式の噴節紗というものから構成される。
【００３６】
図２Ｂは本発明の塵埃を除く除去部１の完成製品図である。
塵埃を除く除去部１は熱熔接（熱溶着）できる不織布層１２、噴節紗層１１、平滑な不織布層１３、不織布または織布層１４を下から上まで、順次畳む。
また、それらに熱圧加工を行うと、熱熔接できる不織布層１２、噴節紗層１１、平滑な不織布層１３、不織布または織布層１４は半閉鎖融合線15で、一体化のように結合される。
開口１６が残って、長い形の袋を形成する。
【００３７】
熱熔接できる不織布層１２、平滑な不織布層１３、不織布または織布層１４の広さは皆、噴節紗層１１の広さより小さい。
さらに、熱熔接できる不織布層１２、平滑な不織布層１３、不織布または織布層１４の長い辺は波状又は直線状のように切られるので、噴節紗層１１における複数の多段式噴節紗の伸展方向が有効的に制御される。
【００３８】
その他、噴節紗層１１における複数の多段式噴節紗は弛んだり、引き締まったり、交替するような構造を持つ。
【００３９】
複数の弛む箇所の繊維糸は粉末の塵埃を吸い付けてとるので、塵埃を除く除去部１の効果を向上させる。
一束毎の多段式噴節紗は異なる方向に沿って二本の紗線をしっかり締めて形成するので、一束噴節紗毎を有効的に締めることができて、他の多段式噴節紗と巻きつくことはない。
【００４０】
図１及び図３を参照して説明する。
図１に示すように、塵はたき用のはたき１００の柄２における螺旋末端２１は開口１６から、塵埃を除く除去部１の長い形の袋に入れることができる。
長い形の袋の一端は開口１６と相対して、融合線１８で、二つの部分に分けられ、螺旋末端２１の叉状先端を収容する。
さらに、塵埃を除く除去部１は図３に示すように、螺旋末端２１に伴って螺旋状になる。
【００４１】
螺旋状のようで、塵埃を除く除去部１を有するはたき１００は、多方向の清潔効果を提供することができる。
このような設計を通し、塵埃を除く除去部１と柄２が容易に着脱できる。
その他、長い形の袋の中央部分の広さを少し減らすと、塵埃を除く除去部１が容易に柄２の螺旋末端２１から脱離されることが防止される。
【００４２】
はたき用のはたき２００の全体を示す説明図である図４を参照して本発明の第二実施例について説明する。
本例に係る塵はたき用のはたき２００は主に塵埃を除く除去部１´及び柄３からなっている。
【００４３】
第二実施例に係る塵はたき用のはたき２００において、塵埃を除く除去部１´の完成品を示す説明図である図５に示すように、塵はたき用のはたき２００の塵埃を除く除去部１´は熱熔接できる不織布層１２´、噴節紗層１１´、平滑な不織布層１３´、不織布または織布層１４´を下から上まで、順次畳んだあとで、熱圧加工を行って作られる。噴節紗層１１´は複数の多段式噴節紗から構成される。
【００４４】
熱圧で加工した後、塵埃を除く除去部１´は融合線１５´で、熱熔接できる不織布層１２´、噴節紗層１１´、平滑な不織布層１３´、不織布または織布層１４´を一体化のように結合される。融合線１５´を通して、塵埃を除く除去部１´には、同側の二つの開口１６´が残って、二つの並列の長い形の袋を形成する。
二つの長い形の袋の間に、中央開口１７が切られるので、塵埃を除く除去部１´は容易にひっくりかえす特性を持つ。
【００４５】
本例は第一実施例と同様に、噴節紗層１１´における複数の多段式噴節紗も弛んだり、引き締まったり、交替するような構造を持つので、塵埃を除く除去部１´の効果を向上させる。
一束毎の多段式噴節紗は異なる方向に沿って二本の紗線をしっかり締めて形成するので、一束噴節紗毎を他の多段式噴節紗と巻きつかないように、有効的に締めることができる。
【００４６】
その他、熱熔接できる不織布層１２´、平滑な不織布層１３´、不織布または織布層１４´の広さは皆、噴節紗層１１´の広さより小さい。
さらに、熱熔接できる不織布層１２´、平滑な不織布層１３´、不織布または織布層１４´の長い辺は波状、又は直線状のように切られるので、噴節紗層１１´における複数の多段式噴節紗の伸展方向が有効的に制御される。
【００４７】
図６に示すように、柄３は叉状で、二つの長い形の端３１を含む。
二つの長い形の端３１はそれぞれ開口１６´を経由して、矢印の方向にしたがって、塵を除く除去部１´の二つの長い形の袋に入れることができる。
そして、塵はたき用のはたき２００を形成する。そんな設計により、塵埃を除く除去部１´と柄３が容易に着脱できる。
【００４８】
図７は本発明の第二実施例に係る塵はたき用のはたき２００の使用説明図である。
同図に示すように、塵はたき用のはたき２００の塵埃を除く除去部１´は外部に露出する多段式噴節紗を有し、デスク４の塵埃５を清掃する。
多段式噴節紗とデスクとの角度が９０度になると、塵はたき用のはたき２００は最もよい清潔効果を達成する。
【００４９】
以上の記載は本発明のいくつの実施例についての説明あるが、本発明はこれらの実施例の記載に限定されるものではない。本発明の技術的思想と同等の効果を得られる実施、又は変更は本発明に含まれるものである。
【図面の簡単な説明】
【００５０】
【図１】本発明の第一実施例に係る、塵はたき用のはたきの分解図である。
【図２Ａ】本発明の第一実施例に係る、はたきの塵埃を除く除去部の分解図である。
【図２Ｂ】本発明の第一実施例に係る、塵埃を除く除去部の完成品を示す説明図である。
【図３】本発明の本発明の第一実施例に係る、塵はたき用のはたきの全体を示す説明図である。
【図４】本発明の第二実施例に係る、塵はたき用のはたきの全体を示す説明図である。
【図５】本発明の第二実施例に係る、塵埃を除く除去部の完成品を示す説明図である。
【図６】本発明の第二実施例に係る、塵はたき用のはたきの分解図である。
【図７】本発明の本発明の第二実施例に係る、塵はたき用のはたきの使用説明図である。
【符号の説明】
【００５１】
１００・・・・・・・・塵はたき用のはたき
１、１´・・・・・・・塵埃を除く除去部
１１、１１´・・・・・噴節紗層
１２、１２´・・・・・熱熔接できる不織布層
１３、１３´・・・・・平滑な不織布層
１４、１４´・・・・・不織布又は織布層
１６、１６´・・・・・開口
１７・・・・・・・・・中央の開口
１８・・・・・・・・・融合線
２・・・・・・・・・・柄
２１・・・・・・・・・螺旋末端
２２・・・・・・・・・握り部
３・・・・・・・・・・柄
３１・・・・・・・・・細長い末端
４・・・・・・・・・・デスク面
５・・・・・・・・・・塵埃
【図１】
2007050251.tif 000003
【図２Ａ】
2007050251.tif 000004
【図２Ｂ】
2007050251.tif 000005
【図３】
2007050251.tif 000006
【図４】
2007050251.tif 000007
【図５】
2007050251.tif 000008
【図６】
2007050251.tif 000009
【図７】
2007050251.tif 000010